Podtech/llm-jp-corpus-v4-ja_patent huggingface dataset:
【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
鳥類胚幹（ＥＳ）細胞を培養する方法であって、
ａ）未孵卵の、鳥類受精卵胚盤葉板由来のＥＳ細胞を、
−インスリン様増殖因子−１（ＩＧＦ−１）および毛様体神経栄養因子（ＣＮＴＦ）；さらに
−動物血清；ならびに
−所望により、インターロイキン６（Ｉｌ−６）、インターロイキン６受容体（Ｉｌ−６Ｒ）、幹細胞因子（ＳＣＦ）、繊維芽細胞増殖因子（ＦＧＦ）、白血病阻害因子（ＬＩＦ）、インターロイキン１１（Ｉｌ−１１）、オンコスタチンおよびカルジオトロフィンを含んでなる群において選択される少なくとも１つの増殖因子；
を添加した基礎培養培地に懸濁する工程；
ｂ）工程ａ）において得られたＥＳ細胞の懸濁液をフィーダー細胞層上に播種し、該ＥＳ細胞を少なくとも２〜１０代継代の間さらに培養する工程；
ｃ）所望により、該培養培地から、ＳＣＦ、ＦＧＦ、Ｉｌ−６、Ｉｌ−６Ｒ、ＬＩＦ、オンコスタチン、カルジオトロフィンおよびＩｌ−１１から選択される少なくとも１つの増殖因子を除去する工程；
ｄ）工程ｃ）の培地中、フィーダー細胞層上で該ＥＳ細胞をさらに培養する工程
を含んでなる、方法。
【請求項２】
ａ）未孵卵の、鳥類受精卵胚盤葉板由来のＥＳ細胞を、インスリン様増殖因子−１（ＩＧＦ−１）、毛様体神経栄養因子（ＣＮＴＦ）、インターロイキン６（Ｉｌ−６）、インターロイキン６受容体（Ｉｌ−６Ｒ）、幹細胞因子（ＳＣＦ）および繊維芽細胞増殖因子（ＦＧＦ）、ならびに動物血清を添加した基礎培養培地に懸濁する工程；
ｂ）工程ａ）において得られたＥＳ細胞の懸濁液をフィーダー細胞層上に播種し、該ＥＳ細胞を少なくとも２〜１０代継代の間さらに培養する工程；
ｃ）所望により、該培養培地から、ＳＣＦ、ＦＧＦ、Ｉｌ−６およびＩｌ−６Ｒを含んでなる群から選択される少なくとも１つの増殖因子を除去する工程；
ｄ）工程ｃ）の培地中、フィーダー細胞層上で該ＥＳ細胞をさらに培養する工程
を含んでなる、請求項１に記載の鳥類胚幹（ＥＳ）細胞を培養する方法。
【請求項３】
ａ）未孵卵の、鳥類受精卵胚盤葉板由来のＥＳ細胞を、インスリン様増殖因子−１（ＩＧＦ−１）、毛様体神経栄養因子（ＣＮＴＦ）、インターロイキン６（Ｉｌ−６）、インターロイキン６受容体（Ｉｌ−６Ｒ）、幹細胞因子（ＳＣＦ）、繊維芽細胞増殖因子（ＦＧＦ）および動物血清を添加した基礎培養培地に懸濁する工程；
ｂ）工程ａ）において得られたＥＳ細胞の懸濁液をフィーダー細胞層上に播種し、該ＥＳ細胞を少なくとも２〜１０代継代の間さらに培養する工程；
ｃ）所望により、該培養培地から、ＳＣＦおよびＦＧＦを含んでなる群から選択される少なくとも１つの増殖因子を除去する工程；
ｄ）工程ｃ）の培地中、フィーダー細胞層上で該ＥＳ細胞をさらに培養する工程
を含んでなる、請求項１に記載の鳥類胚幹（ＥＳ）細胞を培養する方法。
【請求項４】
前記鳥類がニワトリである、請求項１に記載の方法。
【請求項５】
前記鳥類がカモである、請求項１に記載の方法。
【請求項６】
鳥類胚幹細胞を遺伝学的に改変する方法であって、
ａ）請求項１〜５に記載の方法によって培養されたＥＳ細胞をベクターでトランスフェクトする工程；
ｂ）トランスフェクトされたＥＳ細胞を選抜する工程；
ｃ）遺伝学的に改変された選抜ＥＳクローンをスクリーニングおよび増幅する工程、
ｄ）動物血清ならびに少なくともインスリン様増殖因子−１（ＩＧＦ−１）、毛様体神経栄養因子（ＣＮＴＦ）および所望により、インターロイキン６（Ｉｌ−６）、インターロイキン６受容体（Ｉｌ−６Ｒ）、幹細胞因子（ＳＣＦ）、繊維芽細胞増殖因子（ＦＧＦ）を含んでなる群において選択される少なくとも１つの増殖因子を含んでなる培養培地中、フィーダー細胞層上で、工程ｃ）の該遺伝学的改変ＥＳ細胞を培養する工程
を含んでなる、方法。
【請求項７】
キメラ雛を得る方法であって、
ａ）請求項１〜５に記載の方法によって培養されたＥＳ細胞をレシピエント鳥類胚の胚下腔に導入する工程；および
ｂ）雛として孵化させるために、工程ａ）において得られた胚をインキュベートする工程；
ｃ）該雛に定着した異種細胞を含んでなる該キメラ雛を選抜する工程
を含んでなる、方法
【請求項８】
遺伝学的に改変されたキメラ雛を得る方法であって、
ａ）請求項６に記載の工程ｄ）において得られた遺伝学的改変ＥＳ細胞をレシピエント鳥類胚の胚下腔に導入する工程；および
ｂ）雛として孵化させるために、工程ａ）において得られた胚をインキュベートする工程；
ｃ）該雛に定着した遺伝学的改変異種細胞を含んでなる該キメラ雛を選抜する工程
を含んでなる、方法
【請求項９】
前記レシピエント胚が、Eyal-Giladi & Kochav分類のステージＶＩ〜ＸＩＩの間に含まれる段階、好ましくはEyal-Giladi & Kochav分類のステージＸ前後の段階にある、請求項７または８に記載の方法。
【請求項１０】
ＥＳ細胞の前記レシピエント胚の胚下腔への導入前に、前記レシピエント胚にＸ線またはγ線照射を照射する工程をさらに含んでなる、請求項７〜９に記載の方法。
【請求項１１】
前記レシピエントニワトリ胚が、barred rock系統、Marans系統およびS86N系統からなる群において選択されるニワトリ系統のものであり、前記ニワトリＥＳ細胞が、White Leghorn系統に由来する、請求項７〜１０に記載の方法。
【請求項１２】
キメラ雛の後代を得る方法であって、次の工程：
ａ）請求項７または請求項８に記載の工程ｃ）において得られた選抜キメラ雛を成鳥として成熟させる工程；
ｂ）内部に異種細胞を有する該成鳥を繁殖させ、その結果、鳥後代を生み出す工程；および
ｃ）該後代において対象となる鳥を選抜する工程
を含んでなる、方法。
【請求項１３】
遺伝学的に改変された異種細胞中に含まれる前記ベクターによってコードされる異種ポリペプチドを発現させる工程をさらに含んでなる、請求項１２に記載の方法。
【請求項１４】
前記異種ポリペプチドが、前記遺伝学的改変鳥によって産み出された発生中の鳥類卵の卵白に送達される、請求項１３に記載の方法。
【請求項１５】
鳥類胚幹細胞用の培養培地であって、少なくともインスリン様増殖因子−１（ＩＧＦ−１）、毛様体神経栄養因子（ＣＮＴＦ）、および所望により、インターロイキン６（Ｉｌ−６）、インターロイキン６受容体（Ｉｌ−６Ｒ）、幹細胞因子（ＳＣＦ）、繊維芽細胞増殖因子（ＦＧＦ）を含んでなる群において選択される少なくとも１つの化合物を含んでなり、少なくとも７日間、好ましくは少なくとも１００日間培養する該鳥類胚幹細胞の維持に十分である、培養培地。
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
遺伝的に改変されていない野生型の植物細胞と比較して、デンプン合成酵素IIの活性を有するタンパク質の増大した活性と、グルカン−水ジキナーゼの活性を有するタンパク質の増大した活性とを有する、遺伝的に改変された植物細胞。
【請求項２】
遺伝的改変が、植物のゲノム中への少なくとも１つの外来核酸分子の導入からなる、請求項１に記載の遺伝的に改変された植物細胞。
【請求項３】
遺伝的に改変されていない対応する野生型の植物細胞から単離されたデンプンと比較して、改変されたデンプンを合成する、請求項１及び２のいずれか一項に記載の遺伝的に改変された植物細胞。
【請求項４】
増大した熱湯膨潤力を有するデンプンを合成する、請求項１、２及び３のいずれか一項に記載の遺伝的に改変された植物細胞。
【請求項５】
請求項１〜４のいずれか一項に記載の遺伝的に改変された植物細胞を含む植物。
【請求項６】
請求項１〜４のいずれか一項に記載の遺伝的に改変された植物を含む、請求項５に記載の植物の繁殖材料。
【請求項７】
ａ）植物細胞が、遺伝的に改変され、遺伝的改変が、以下の工程iおよびii：
i）遺伝的に改変されていない対応する野生型の植物細胞と比較して、デンプン合成酵素IIの酵素活性を有するタンパク質の活性の増大に至る遺伝的改変の植物細胞中への導入、
ii）遺伝的に改変されていない対応する野生型の植物細胞と比較して、グルカン−水ジキナーゼの酵素活性を有するタンパク質の活性の増大に至る遺伝的改変の植物細胞中への導入、
をいずれかの望ましい順序で個々にまたは同時に含み、
ｂ）植物が、工程ａ）の植物細胞から再生され；
ｃ）場合により、工程ｂ）に従った植物を用いてさらなる植物が作出され、
植物細胞が場合により、工程ｂ）またはｃ）に従った植物から単離され、デンプン合成酵素IIの活性を有するタンパク質の増大した活性とグルカン−水ジキナーゼの活性を有するタンパク質の増大した活性とを有する植物が作出されるまで、方法の工程ａ）〜ｃ）が、反復される、遺伝的に改変された植物の作出のための方法。
【請求項８】
請求項１〜４のいずれか一項に記載の遺伝的に改変された植物細胞、請求項５に記載の植物、請求項６に記載の繁殖材料または請求項７に記載の方法によって得られることのできる植物からのデンプンの抽出の工程を含む、改変されたデンプンの製造のための方法。
【請求項９】
請求項５に記載の植物の、請求項６に記載の繁殖材料の、または請求項７に記載の方法によって得られることのできる植物の、デンプンの製造のための使用。
【請求項１０】
請求項８に記載の方法によって得られることのできる改変されたデンプン。
【請求項１１】
少なくとも１１０g/gの熱湯膨潤力を有する、改変されたデンプン。
【請求項１２】
請求項１０または１１のいずれか一項に記載の改変されたデンプンがその後、誘導体化される、誘導体化されたデンプンの製造のための方法。
【請求項１３】
請求項１２に記載の方法によって得られることのできる誘導体化されたデンプン。
【請求項１４】
誘導体化されたデンプンの製造のための、請求項１０または１１のいずれか一項に記載の改変されたデンプンの使用。
【請求項１５】
請求項８に記載の方法によって得られることのできる改変されたデンプンを含む、または請求項１０または１１のいずれか一項に記載の改変されたデンプンを含む、粉末。
【請求項１６】
請求項５に記載の植物の、請求項６に記載の繁殖材料の、または請求項７に記載の方法によって得られることのできる植物のすりつぶしの工程を含む、粉末の製造のための方法。
【請求項１７】
請求項１〜４のいずれか一項に記載の遺伝的に改変された植物細胞、請求項５に記載の植物、請求項６に記載の繁殖材料または請求項７に記載の方法によって得られることのできる植物の、粉末の製造のための使用。
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
約０．２〜約２．０ｍＬ／ｇの孔容積、及び約５〜約４０ミクロンの中央粒径を有するキセロゲル粒子を含み、約２０重量％以下の微粉を含む、飲料の処理のために有用な組成物。
【請求項２】
該キセロゲルが２０重量％以下の量の湿分を含む、請求項１に記載の組成物。
【請求項３】
該キセロゲルがシリカを含む、請求項１に記載の組成物。
【請求項４】
該孔容積が約０．２〜約２．０ｍＬ／ｇの範囲である、請求項１に記載の組成物。
【請求項５】
該中央粒径が約１０〜約２５ミクロンの範囲である、請求項１に記載の組成物。
【請求項６】
組成物が約１８重量％以下の微粉を含む、請求項１に記載の組成物。
【請求項７】
組成物が約１５重量％以下の微粉を含む、請求項１に記載の組成物。
【請求項８】
該組成物が少なくとも約４０ミリダルシーの濾過率を有する、請求項１に記載の組成物。
【請求項９】
請求項１に記載の組成物を用いて飲料を処理する方法。
【請求項１０】
ハイドロゲルを調製し；
ハイドロゲルを加熱してキセロゲルを形成し；
キセロゲルを粉砕して粒子を形成し；そして
組成物から微粉を除去して、組成物が約２０重量％以下の微粉を含むようにする；
ことを含む、飲料の処理のために有用な組成物の製造方法。
【請求項１１】
該キセロゲルが約２０重量％以下の量の湿分を含む、請求項１０に記載の方法。
【請求項１２】
該中央粒径が約１０〜約２５ミクロンの範囲である、請求項１０に記載の方法。
【請求項１３】
キセロゲル組成物を準備し；
飲料を準備し；そして
該キセロゲル組成物を用いて該飲料を濾過する；
ことを含み、該組成物が、約０．２〜約２．０ｍＬ／ｇの孔容積、約５〜約４０ミクロンの中央粒径を有するキセロゲル粒子を含み、組成物が約２０重量％以下の微粉を含む、飲料を処理する方法。
【請求項１４】
該飲料が、ビール、ワイン、又はフルーツジュースを含む、請求項１３に記載の方法。
【請求項１５】
組成物が約１８重量％以下の微粉を含む、請求項１３に記載の方法。
【請求項１６】
組成物が約１５重量％以下の微粉を含む、請求項１３に記載の方法。
【請求項１７】
約０．２〜約２．０ｍＬ／ｇの孔容積、及び約５〜約４０ミクロンの中央粒径を有するキセロゲル粒子を含み、少なくとも約４０ミリダルシーの濾過率を有する、飲料の処理のために有用な組成物。
【請求項１８】
組成物が約２０重量％以下の微粉を含む、請求項１７に記載の組成物。
【請求項１９】
組成物が約１５重量％以下の微粉を含む、請求項１７に記載の組成物。
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
（ａ）配列番号：９のアミノ酸配列からなる重鎖可変領域ＣＤＲ１、
（ｂ）配列番号：１３のアミノ酸配列からなる重鎖可変領域ＣＤＲ２、
（ｃ）配列番号：１７のアミノ酸配列からなる重鎖可変領域ＣＤＲ３、
（ｄ）配列番号：２１のアミノ酸配列からなる軽鎖可変領域ＣＤＲ１、
（ｅ）配列番号：２５のアミノ酸配列からなる軽鎖可変領域ＣＤＲ２および
（ｆ）配列番号：２９のアミノ酸配列からなる軽鎖可変領域ＣＤＲ３からなり、
ＳＤＦ−１に特異的に結合する単離モノクローナル抗体またはその抗原結合部位。
【請求項２】
（ａ）配列番号：１０のアミノ酸配列からなる重鎖可変領域ＣＤＲ１、
（ｂ）配列番号：１４のアミノ酸配列からなる重鎖可変領域ＣＤＲ２、
（ｃ）配列番号：１８のアミノ酸配列からなる重鎖可変領域ＣＤＲ３、
（ｄ）配列番号：２２のアミノ酸配列からなる軽鎖可変領域ＣＤＲ１、
（ｅ）配列番号：２６のアミノ酸配列からなる軽鎖可変領域ＣＤＲ２および
（ｆ）配列番号：３０のアミノ酸配列からなる軽鎖可変領域ＣＤＲ３からなり、
ＳＤＦ−１に特異的に結合する単離モノクローナル抗体またはその抗原結合部位。
【請求項３】
（ａ）配列番号：１１のアミノ酸配列からなる重鎖可変領域ＣＤＲ１、
（ｂ）配列番号：１５のアミノ酸配列からなる重鎖可変領域ＣＤＲ２、
（ｃ）配列番号：１９のアミノ酸配列からなる重鎖可変領域ＣＤＲ３、
（ｄ）配列番号：２３のアミノ酸配列からなる軽鎖可変領域ＣＤＲ１、
（ｅ）配列番号：２７のアミノ酸配列からなる軽鎖可変領域ＣＤＲ２および
（ｆ）配列番号：３１のアミノ酸配列からなる軽鎖可変領域ＣＤＲ３からなり、
ＳＤＦ−１に特異的に結合する単離モノクローナル抗体またはその抗原結合部位。
【請求項４】
（ａ）配列番号：１２のアミノ酸配列からなる重鎖可変領域ＣＤＲ１、
（ｂ）配列番号：１６のアミノ酸配列からなる重鎖可変領域ＣＤＲ２、
（ｃ）配列番号：２０のアミノ酸配列からなる重鎖可変領域ＣＤＲ３、
（ｄ）配列番号：２４のアミノ酸配列からなる軽鎖可変領域ＣＤＲ１、
（ｅ）配列番号：２８のアミノ酸配列からなる軽鎖可変領域ＣＤＲ２および
（ｆ）配列番号：３２のアミノ酸配列からなる軽鎖可変領域ＣＤＲ３からなり、
ＳＤＦ−１に特異的に結合する単離モノクローナル抗体またはその抗原結合部位。
【請求項５】
（ａ）配列番号：１のアミノ酸配列からなる重鎖可変領域および
（ｂ）配列番号：５のアミノ酸配列からなる軽鎖可変領域からなる請求項１記載の抗体。
【請求項６】
（ａ）配列番号：２のアミノ酸配列からなる重鎖可変領域および
（ｂ）配列番号：６のアミノ酸配列からなる軽鎖可変領域からなる請求項２記載の抗体。
【請求項７】
（ａ）配列番号：３のアミノ酸配列からなる重鎖可変領域および
（ｂ）配列番号：７のアミノ酸配列からなる軽鎖可変領域からなる請求項３記載の抗体。
【請求項８】
（ａ）配列番号：４のアミノ酸配列からなる重鎖可変領域および
（ｂ）配列番号：８のアミノ酸配列からなる軽鎖可変領域からなる請求項４記載の抗体。
【請求項９】
ヒト抗体またはその抗原結合部位である請求項１〜８記載のいずれかの抗体またはその抗原結合部位。
【請求項１０】
ＩｇＧ１、ＩｇＧ２もしくはＩｇＧ４アイソタイプの全長抗体またはその抗原結合部位である請求項９記載の抗体またはその抗原結合部位。
【請求項１１】
請求項１０記載の抗体またはその抗原結合部位ならびに薬学的に許容し得る担体を含む組成物。
【請求項１２】
請求項１〜８記載のいずれかの抗体またはその抗原結合部位をコードする単離核酸分子。
【請求項１３】
請求項１２記載の核酸分子を含む発現ベクター。
【請求項１４】
請求項１３記載の発現ベクターを含む宿主細胞。
【請求項１５】
請求項１〜１０記載のいずれかの抗体またはその抗原結合部位を有効成分として含む自己免疫疾患治療剤。
【請求項１６】
自己免疫疾患が、リウマチ関節炎（ＲＡ）、骨関節症（ＯＡ）、実験的自己免疫性脳脊髄炎、全身性エリテマトーデス（ＳＬＥ）、インシュリン依存性糖尿病（ＩＤＤＭ）、炎症性大腸炎（ＩＢＤ）（クローン病、潰瘍性大腸炎、セリアック病を含む）、多発性硬化症（ＭＳ）、乾癬、自己免疫性甲状腺炎、糸球体腎炎移および移植片拒絶からなる群から選択される請求項１５記載の自己免疫疾患治療剤。
【請求項１７】
請求項１〜１０記載のいずれかの抗体またはその抗原結合部位を有効成分として含む移植拒絶治療剤。
【請求項１８】
請求項１〜１０記載のいずれかの抗体またはその抗原結合部位を有効成分として含む増殖性糖尿病性網膜症治療剤。
【請求項１９】
請求項１〜１０記載のいずれかの抗体またはその抗原結合部位を有効成分として含む幹細胞を動員するための医薬。
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
植物細胞のゲノム中に外来配列を導入するための方法であって、
（ａ）細胞を第１、第２および第５ＤＮＡ配列を含むドナーＤＮＡベクターと接触させるステップであって、
ここで、第１配列はその植物細胞のゲノム中の第３配列に相同であり、第２配列はその植物細胞のゲノム中の第４配列に相同であり、そして、第５配列は、外来配列を含み、かつ第１配列と第２配列の間に挿入されている、ステップ、および
（ｂ）１またはそれ以上のヌクレアーゼを細胞内で発現させ、その１またはそれ以上のヌクレアーゼが第３配列と第４配列の間の１またはそれ以上の対応するターゲット配列において染色体ＤＮＡを切断するステップ
を含み、
ステップ（ｂ）における染色体ＤＮＡの切断が相同組換えによるゲノムへの第５ＤＮＡ配列の組み込みを刺激するようになっている方法。
【請求項２】
植物細胞のゲノムにおける分子内相同組換えの方法であって、
（ａ）植物細胞のゲノム内のＤＮＡセグメントであって、第１配列、その第１配列に相同な第２配列、および第１配列と第２配列の間に挿入された第３配列を含むＤＮＡセグメントをジンクフィンガーヌクレアーゼと接触させ、そのヌクレアーゼがＤＮＡセグメントを第３配列内で切断するステップ
を含む方法であって、第１配列と第２配列の間にあるＤＮＡが染色体から削除される方法。
【請求項３】
１またはそれ以上のヌクレアーゼが第１または第２染色体配列のどちらか一方の０.１〜３キロ塩基対以内で染色体ＤＮＡを切断する、請求項１に記載の方法。
【手続補正２】
【補正対象書類名】図面
【補正対象項目名】図２
【補正方法】変更
【補正の内容】
【図２】
2010500029.tif 000001
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
偽装コマンド・ボタンを検出するための方法であって、
ポップアップ・ウィンドウに関する作成プロセスを追跡するステップと、
前記ポップアップ・ウィンドウ内に作成されたコマンド・ボタンを検出するステップと、
前記コマンド・ボタンの割り当て値をチェックするステップと、
前記コマンド・ボタンの選択時に生成されたフォローアップ・アクションを判断するステップと、
を含む方法。
【請求項２】
前記検出するステップが、バックグラウンド・ソース・コード妥当性検査を実行することを含む、請求項１に記載の方法。
【請求項３】
前記生成されたフォローアップ・アクションが前記ポップアップ・ウィンドウを閉じることを検証するステップをさらに含む、請求項１に記載の方法。
【請求項４】
前記コマンド・ボタンを選択したことによる前記フォローアップ・アクションが前記ポップアップ・ウィンドウを閉じること以外のアクションであるときに、前記ポップアップ・ウィンドウが潜在的な危険をもたらすことをユーザに警告するステップをさらに含む、請求項３に記載の方法。
【請求項５】
前記コマンド・ボタンの前記割り当て値がユーザ選択を制限するときに、注意深く進むよう前記ユーザに警告するステップをさらに含む、請求項２に記載の方法。
【請求項６】
偽装コマンド・ボタンを検出するためのシステムであって、
ポップアップ・ウィンドウに関する作成プロセスを追跡するための構成要素と、
前記ポップアップ・ウィンドウ内のコマンド・ボタンの作成を検出するための構成要素と、
前記コマンド・ボタンの割り当て値をチェックするための構成要素と、
前記コマンド・ボタンの選択時に生成されたフォローアップ・アクションを判断するための構成要素と、
を含むシステム。
【請求項７】
前記検出するための構成要素がバックグラウンド・ソース・コード妥当性検査を実行する、請求項６に記載のシステム。
【請求項８】
前記生成されたフォローアップ・アクションが前記ポップアップ・ウィンドウを閉じることを検証するための構成要素をさらに含む、請求項６に記載のシステム。
【請求項９】
前記フォローアップ・アクションが前記ポップアップ・ウィンドウを閉じること以外のアクションを実行するときに、前記ポップアップ・ウィンドウが潜在的な危険をもたらすことをユーザに警告するための構成要素をさらに含む、請求項６に記載のシステム。
【請求項１０】
前記コマンド・ボタンの前記割り当て値がユーザ選択を制限するときに、注意深く進むよう前記ユーザに警告するための構成要素をさらに含む、請求項６に記載のシステム。
【請求項１１】
ウィンドウを閉じるためのＷｅｂブラウザ・アプリケーション・プログラム・インターフェース（ＡＰＩ）に対して前記ポップアップ・ウィンドウを妥当性検査するための構成要素と、
前記コマンド・ボタンを選択したときに前記ユーザによって生成された前記フォローアップ・アクションが前記ＷｅｂブラウザＡＰＩとの通信を省略したことを検出したときに前記ユーザに警告するための構成要素と、
前記ポップアップ・ウィンドウを閉じるための構成要素と、
をさらに含む、請求項６に記載のシステム。
【請求項１２】
デジタル・コンピュータの内部メモリにロード可能なコンピュータ・プログラムであって、コンピュータ上で実行されたときに、請求項１乃至５に記載の方法を実行するよう実行するためのソフトウェア・コード部分を含む、コンピュータ・プログラム。
【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
内側と外側とを有する絶縁支持層と；
前記絶縁層の外側に配置された導電性外層と；
該絶縁支持層の内側と該導電性外層との間の少なくとも１つの導電性接続部と；
前記絶縁支持層の内側に配置された第２の導電性層と
を含んで成る静電写真機械内で使用するための中間転写部材。
【請求項２】
該導電性層上に配置された追従性層と；
前記追従性層上に配置されたリリース層と
をさらに含んで成る請求項１に記載の中間転写部材。
【請求項３】
該導電性外層が、アルミニウム、ニッケル、酸化インジウム錫、溶液塗布されたポリチオフェン、酸化錫、カーボンブラック、カーボンナノチューブ、又はポリアニリンから成る群から選択される請求項１に記載の中間転写部材。
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
ソーシャルネットワーク環境におけるユーザ相性を評価するための、コンピュータ読み取り可能な記憶媒体に記憶されたコンピュータプログラムであって、プロセッサに、
ソーシャルネットワーク環境に関係付けられた第１のユーザによって実行された1以上の活動を監視する手順と、
前記第１のユーザと前記ソーシャルネットワーク環境に関係付けられた第２のユーザとの間の関係の1以上のタイプを特定する手順と、
前記１以上の活動の頻度と前記関係の１以上のタイプに基づき、前記第２のユーザに対する前記第１のユーザの相性を判定する手順と
を実行させるためのコンピュータプログラム。
【請求項２】
さらに、前記ユーザ相性に基づき1以上のメディア項目を生成する手順を前記プロセッサに実行させることを特徴とする請求項１に記載のコンピュータプログラム。
【請求項３】
前記１以上の活動は、前記第２のユーザとの相互関係からなることを特徴とする請求項１に記載のコンピュータプログラム。
【請求項４】
前記１以上の活動は、前記第２のユーザに関係付けられたコンテンツとの相互関係からなることを特徴とする請求項１に記載のコンピュータプログラム。
【請求項５】
さらに、前記第１のユーザへ前記１以上のメディア項目を供給する手順を前記プロセッサに実行させることを特徴とする請求項２に記載のコンピュータプログラム。
【請求項６】
さらに、前記ユーザ相性に基づき、前記１以上のメディア項目を表示するのための順序を指示する手順を前記プロセッサに実行させることを特徴とする請求項２に記載のコンピュータプログラム。
【請求項７】
さらに、前記関係の１以上のタイプに基づき、前記ユーザの前記１以上の活動へ重み付けを割り当てる手順を前記プロセッサに実行させることを特徴とする請求項１に記載のコンピュータプログラム。
【請求項８】
さらに、前記１以上の活動の継続的な監視に基づき生成された１以上のメディア項目を調整する手順を前記プロセッサに実行させることを特徴とする請求項２に記載のコンピュータプログラム。
【請求項９】
ソーシャルネットワーク環境におけるユーザ相性を評価するためのシステムであって、
プロセッサと、
前記プロセッサに、ソーシャルネットワーク環境に関係付けられた第１のユーザによって実行された1以上の活動を監視させるように構成された監視モジュールと、
前記監視モジュールに結合された関係データベースであって、前記プロセッサに、前記第１のユーザと前記ソーシャルネットワーク環境に関係付けられた第２のユーザとの間の関係の1以上のタイプを特定させるように構成された前記関係データベースと、
前記関係データベースに結合された相性エンジンであって、前記プロセッサに、前記１以上の活動の頻度と前記関係の１以上のタイプに基づき、前記第２のユーザに対する前記第１のユーザの相性を判定させるように構成された前記相性エンジンと
を具えるシステム。
【請求項１０】
前記相性エンジンは、前記プロセッサに、さらに、前記ユーザ相性に基づき1以上のメディア項目を生成させるように構成されることを特徴とする請求項９に記載のシステム。
【請求項１１】
前記１以上の活動は、前記第２のユーザとの相互関係からなることを特徴とする請求項９に記載のシステム。
【請求項１２】
前記１以上の活動は、前記第２のユーザに関係付けられたコンテンツとの相互関係からなることを特徴とする請求項９に記載のシステム。
【請求項１３】
さらに、前記プロセッサに、前記第１のユーザへ前記１以上のメディア項目を表示させるように構成されたディスプレイエンジンを具える請求項１０に記載のシステム。
【請求項１４】
前記相性エンジンは、前記プロセッサに、さらに、前記ユーザ相性に基づき前記１以上のメディア項目を表示する順序を指示させるように構成されることを特徴とする請求項１０に記載のシステム。
【請求項１５】
前記相性エンジンは、前記プロセッサに、さらに、前記関係の１以上のタイプに基づき、ユーザの前記１以上の活動へ重み付けを割り当てさせるように構成されることを特徴とする請求項９に記載のシステム。
【請求項１６】
前記相性エンジンは、前記プロセッサに、さらに、前記１以上の活動の継続的な監視に基づき生成された前記１以上のメディア項目を調整させるように構成されることを特徴とする請求項１０に記載のシステム。
【請求項１７】
ソーシャルネットワーク環境におけるユーザ相性を評価するための、コンピュータ読み取り可能な記憶媒体に記憶されたコンピュータプログラムであって、プロセッサに、
ソーシャルネットワーク環境に関係付けられたユーザと該ソーシャルネットワーク内のオブジェクトとの間の1以上の相互作用を監視する手順と、ここで、前記オブジェクトは前記ソーシャルネットワークの別のユーザ以外のものであり、
前記監視された前記ユーザと前記オブジェクトとの間の前記1以上の相互作用に基づき前記オブジェクトに対する前記ユーザの相性を判定する手順と
を実行させるためのコンピュータプログラム。
【請求項１８】
さらに、前記ユーザ相性に基づき1以上のメディア項目を生成する手順を前記プロセッサに実行させることを特徴とする請求項１７に記載のコンピュータプログラム。
【請求項１９】
さらに、前記ユーザへ前記１以上のメディア項目を供給する手順を前記プロセッサに実行させることを特徴とする請求項１８に記載のコンピュータプログラム。
【請求項２０】
さらに、前記ユーザ相性に基づき、前記１以上のメディア項目を表示するのための順序を指示する手順を前記プロセッサに実行させることを特徴とする請求項１８に記載のコンピュータプログラム。
【請求項２１】
さらに、前記１以上の相互作用の継続的な監視に基づき生成された１以上のメディア項目を調整する手順を前記プロセッサに実行させることを特徴とする請求項１８に記載のコンピュータプログラム。
【請求項２２】
前記オブジェクトは、１つのイベントを表している請求項１７に記載のコンピュータプログラム。
【請求項２３】
前記オブジェクトは、前記ソーシャルネットワーク環境において定義された１つのグループオブジェクトを表している請求項１７に記載のコンピュータプログラム。
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
方法であって、
プロセス制御システム（１００）における１又は複数のアクチュエータ（１１４〜１２６）について１つ以上の設定点変更を決定するステップであって、
第１動作モードで動作しているときは設定点変更を増大させるか又はその変更頻度を高めるステップと、
第２モードで動作しているときには設定点変更を減少させるか又はその変更頻度を低めるステップと
を含む、決定ステップと、
前記１又は複数の設定点変更を前記１つ以上のアクチュエータ（１１４〜１２６）に出力するステップと
からなることを特徴とする方法。
【請求項２】
請求項１記載の方法において、前記プロセス制御システム（１００）は、平半紙（１０８）を生産するように動作可能な製紙機械（１０２）を備えており、該方法はさらに、
前記平半紙（１０８）が破断し、前記製紙機械（１０２）に掛け直した後に、第１モードに入るステップと、
前記第１モードに入ってから所定の期間が経過したか、又は、前記第１モードに入っておりかつ前記平半紙（１０８）のキャリパ・プロファイルが所望のキャリパ・プロファイルの所定の閾値内となったときのいずれかの後に、前記第２モードに入るステップと
を備えていることを特徴とする方法。
【請求項３】
請求項１記載の方法において、
前記１又は複数の設定点変更を出力するステップは、巻き込み防止保護を備えるために前記１つ以上の設定点変更を処理し、前記１又は複数の処理した設定点変更を前記１又は複数のアクチュエータ（１１４〜１２６）に出力するステップを備え、
巻取防止保護のレベルはユーザにより指定されているものである
ことを特徴とする方法。
【請求項４】
装置において、
プロセス制御システム（１００）における１又は複数のアクチュエータ（１１４〜１２６）について１又は複数の設定点変更を決定するように動作可能な制御モジュール（２００）であって、
第１動作モードで動作しているときは設定点変更を増大させるか又はその変更頻度を高め、
第２モードで動作しているときには設定点変更を減少させるか又はその変更頻度を低める
ことによって前記１つ以上の設定点変更を決定するように動作可能な制御モジュールと、
前記１又は複数の設定点変更を前記１又は複数のアクチュエータ（１１４〜１２６）に出力するように動作可能なインターフェース（１３２）と
を備えていることを特徴とする装置。
【請求項５】
システムにおいて、
平半紙（１０８）を生成する製紙機械であって、１又は複数のアクチュエータ（１１４〜１２６）を備えた製紙機械（１０２）と、
前記アクチュエータ（１１４〜１２６）の１又は複数について１又は複数の設定点変更を決定するように動作可能なコントローラ（１０４）であって、
第１動作モードで動作しているときは設定点変更を増大させるか又はその変更頻度を高め、
第２モードで動作しているときには設定点変更を減少させるか又はその変更頻度を低める
ことによって設定点変更を決定するコントローラと
を備えていることを特徴とする装置。
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
多層体、特に、少なくとも一つの電子部品を有し、互いに正しい位置関係で構築された、少なくとも２つの機能層、特に、電気的機能層を、キャリア基質（１０）の上面（１０ｂ）に含む多層体の製造プロセスであって、
第一領域（１）において、第一露光放射（２０ａ）に対して、少なくとも一つの第二領域に関して透明性が増加し、
第一領域（１）と正しい位置関係の少なくとも一つの第二領域（２）において、少なくとも一つの異なる第二露光放射（２０ｂ）に対して、第一領域に関して透明性が増加し、
下面（１０ａ）は、第一及び少なくとも一つの第二露光放射（２０ａ、２０ｂ）により連続的に露光され、第一露光放射（２０ａ）は第一機能層（３０）を構築するために用いられ、少なくとも一つの第二露光放射（２０ｂ）は少なくとも一つの第二機能層（３１）をキャリア基質（１０）の上面（１０ｂ）に構築するために用いられるように、キャリア基質（１０）の下面（１０ａ）が作られること、
を特徴とする多層体の製造プロセス。
【請求項２】
第一凹凸構造が第一領域（１）に形成され、第一凹凸構造とは異なる少なくとも一つの第二凹凸構造が第二領域（２）に形成され、第一凹凸構造と正しい位置関係で、露光マスク（１００）がさらに下面（１０ａ）に適用され、露光マスク（１００）は、キャリア基質（１０）により規定される平面に関する表面領域に対して一定の密度を備えて適用され、キャリア基質（１０）の上面（１０ｂ）に適用された第一機能層（３０）は、第一凹凸構造と正しい位置関係で構築され、キャリア基質（１０）の上面（１０ｂ）に適用された少なくとも一つの第二電気的機能層（３１）は、少なくとも一つの第二凹凸構造と正しい位置関係で構築される手順により、キャリア基質（１０）の下面（１０ａ）が作られること、
を特徴とする請求項１に記載のプロセス。
【請求項３】
露光マスク層（１００）が、金属層または金属合金層で形成されること、
を特徴とする請求項２に記載のプロセス。
【請求項４】
第一および第二凹凸構造が、各構造エレメントの深さ幅比が0.3以上の回折凹凸構造により形成されること、
を特徴とする請求項１〜３のいずれか１項に記載のプロセス。
【請求項５】
第一および第二凹凸構造が、格子周期800nm以下、好ましくは500nm以下の凹凸構造により形成されること、
を特徴とする請求項１〜４のいずれか１項に記載のプロセス。
【請求項６】
第一凹凸構造が第一領域（１）に形成され、第一凹凸構造とは異なる少なくとも一つの第二凹凸構造が第二領域（２）に形成され、第一凹凸構造と正しい位置関係で、キャリア基質（１０）の上面（１０ｂ）に適用された第一機能層（３０）が、第一凹凸構造と正しい位置関係で構築され、キャリア基質（１０）の上面（１０ｂ）に適用された少なくとも一つの第二電気的機能層（３１）が、少なくとも一つの第二凹凸構造と正しい位置関係で構築される手順により、キャリア基質（１０）の下面（１０ａ）が作られること、
を特徴とする請求項１に記載のプロセス。
【請求項７】
第一カラー層が第一領域に配置され、第一カラー層と色の異なる少なくとも一つの第二カラー層が第二領域に配置され、第一カラー層と正しい位置関係で、キャリア基質（１０）の上面（１０ｂ）に適用される第一機能層が第一カラー層と正しい位置関係で構築され、キャリア基質（１０）の上面（１０ｂ）に適用される少なくとも一つの第二機能層が、少なくとも一つの第二カラー層と正しい位置関係で構築される手順により、キャリア基質（１０）の下面（１０ａ）が作られること、
を特徴とする請求項１に記載のプロセス。
【請求項８】
構造化第一機能層（３０´）が、導電性機能層材料で形成されること、
を特徴とする請求項１〜７のいずれか１項に記載のプロセス。
【請求項９】
構造化第二機能層（３１´）が、導電性または半導体または誘電性機能層材料で形成されること、
を特徴とする請求項１〜８のいずれか１項に記載のプロセス。
【請求項１０】
請求項１〜９のいずれか１項により得られる多層体、特に、少なくとも一つの有機電子部品を有し、キャリア基質（１０）を有する多層体であって、
第一領域（１）において、第一露光放射（２０ａ）に対して、少なくとも一つの第二領域に関して増加する透明性が形成され、第一領域（１）と正しい位置関係で、少なくとも一つの第二領域（２）において、少なくとも一つの露光放射（２０ｂ）に対して、第一領域に関して増加する透明性が形成され、少なくとも二つの構造化機能層（３０´、３１´）が、互いに正しい位置関係で、さらに、キャリア基質（１０）の上面（１０ｂ）で、第一および少なくとも一つの第二領域（１、２）と正しい位置関係で配置されるように、キャリア基質（１０）の下面（１０ａ）が作られること、
を特徴とする多層体。
【請求項１１】
第一凹凸構造が第一領域（１）に配置され、第一凹凸構造とは異なる少なくとも一つの第二凹凸構造が第二領域（２）に配置され、第一凹凸構造と正しい位置関係であること、
を特徴とする請求項１０に記載の多層体。
【請求項１２】
露光マスク層（１００）が、さらに下面（１０ａ）に配置されること、
を特徴とする請求項１０または１１に記載の多層体。
【請求項１３】
第一カラー層が第一領域（１）に配置され、第一カラー層と色の異なる少なくとも一つの第二カラー層が第二領域（２）に配置され、第一カラー層と正しい位置関係にあること、
を特徴とする請求項１２に記載の多層体。
【請求項１４】
多層体が一つ以上の電子部品、特に、キャパシタ、電界効果トランジスタ、太陽電池、感光層を含む部品、抵抗、アンテナ、LED、特にOLED、またはダイオードを有すること、
を特徴とする請求項１０〜１３のいずれか１項に記載のプロセス。
【請求項１５】
多層体が、基質としてガラス層を有し、多層体が、下面の領域に、第一回折凹凸構造が第一領域に形成され、それとは異なる第二回折凹凸構造が少なくとも一つの第二領域にさらに形成される、複製ラッカー層を有すること、
を特徴とする請求項１０〜１４のいずれか１項に記載のプロセス。
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
コンタクトレンズの洗浄及び消毒用レンズケアキットであって：
水溶性有色タンパク質及び殺菌剤を含む有色レンズケア溶液；並びに
タンパク質分解酵素、ここで、該タンパク質分解酵素は、固体支持材上に固定化されており、そして、該タンパク質分解酵素は、スブチリシン、トリプシン、パパイン又はこれらの組み合わせである、
を含み、
有色レンズケア溶液と接触すると、有色レンズケア溶液を実質的に脱色させるのに十分な期間にわたって、タンパク質分解酵素が有色タンパク質を分解し、これにより有色レンズケア溶液により消毒及び洗浄されているレンズが使える状態にあることを示す、コンタクトレンズの洗浄及び消毒用レンズケアキット。
【請求項２】
レンズケアキットが、処理するコンタクトレンズ及び一定量の有色レンズケア溶液を収容するためのウェルを有するレンズケース、ウェルと流体連通にある区画を含み、固体支持材上のタンパク質分解酵素がレンズケースの区画に入れられた、請求項１のレンズケアキット。
【請求項３】
レンズを処理する直前に、レンズケース中で、一方の着色剤を含まず過酸化水素を含有する溶液と、もう一方の過酸化水素を含まず着色剤を含有する溶液の、二つの溶液を混合することにより有色レンズケア溶液を得る、請求項２のレンズケアキット。
【請求項４】
有色レンズケア溶液が過酸化水素を含まない多目的溶液である、請求項２のレンズケアキット。
【請求項５】
殺菌剤が、ヘキサメチレンビグアニドポリマー（ＰＨＭＢ）である、請求項４のレンズケアキット。
【請求項６】
ＰＨＭＢが０．０１〜１０ppmの量で存在する、請求項５のレンズケアキット。
【請求項７】
有色レンズケア溶液が、最初に青又は緑又は紫の色を有する、請求項６のレンズケアキット。
【請求項８】
有色レンズケア溶液がタンパク質分解酵素と接触後、有色溶液の色が、制御された期間にわたって徐々に退色する、請求項７のレンズケアキット。
【請求項９】
制御された期間の終わりに、有色レンズケア溶液の色が実質的に脱色され、実質的に透明かつ無色になる、請求項８のレンズケアキット。
【請求項１０】
制御された期間がコンタクトレンズの消毒に十分な長さである、請求項９のレンズケアキット。
【請求項１１】
制御された期間が少なくとも約２時間である、請求項１０のレンズケアキット。
【請求項１２】
有色タンパク質が、フィコビリタンパク質、フィコシアニン、アロフィコシアニン、フィコエリトリン、緑色蛍光タンパク質（ＧＦＰ）、ＧＦＰ様タンパク質、バクテリオロドプシン、又はこれらの組み合わせである、請求項２のレンズケアキット。
【請求項１３】
有色タンパク質が、フィコシアニン、アロフィコシアニン、又はこれらの組み合わせである、請求項２のレンズケアキット。
【請求項１４】
有色タンパク質が、リナブルーＡＥ、リナブルーＨＧＥ、リナブルーＡ、リナブルーＨＫ、リナブルーＨＧ、及びこれらの組み合わせよりなる群から選択される、藻の抽出物である、請求項２のレンズケアキット。
【請求項１５】
有色タンパク質が、精製アロフィコシアニン、精製フィコシアニン、又はこれらの組み合わせである、請求項２のレンズケアキット。
【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
ソーシャルネットワーク環境においてニュースフィードを表示する方法であって、
ソーシャルネットワーク環境における複数の活動を監視するステップと、
前記複数の活動をデータベースに記憶するステップと、
１以上の前記活動に関する複数のニュース項目を生成するステップと、ここで、１以上の前記ニュース項目が、一人以上の視聴ユーザに対して提示されるためのものであり、かつ、他のユーザによって行われた活動に関係しており、
別のユーザの前記複数の活動の少なくとも一つに関連したリンクを前記複数のニュース項目の少なくとも一つに結びつけるステップと、ここで、前記リンクは、或る視聴ユーザが当該別のユーザと同じ活動に参加できるようにするものであり、
一組の視聴ユーザに対して、前記複数のニュース項目へのアクセスを制限するステップと、
前記一組の視聴ユーザ中の少なくとも一人の視聴ユーザに対して前記複数のニュース項目中の２以上のニュース項目からなるニュースフィードを表示するステップと
を含むことを特徴とする方法。
【請求項２】
前記複数の活動は、前記視聴ユーザのために決定された相性に応じて選択されることを特徴とする請求項１に記載の方法。
【請求項３】
少なくとも一つの前記リンクがドロップダウンメニューを含むことを特徴とする請求項１に記載の方法。
【請求項４】
前記複数のニュース項目とともに広告を表示するステップをさらに含むことを特徴とする請求項１に記載の方法。
【請求項５】
前記複数のニュース項目の少なくとも一つと少なくとも一人の前記視聴ユーザとの相互作用を監視するステップと、
追加のニュース項目を生成するために、前記相互作用を利用するステップと
をさらに含むことを特徴とする請求項１に記載の方法。
【請求項６】
前記複数のニュース項目の少なくとも一つと少なくとも一人の前記視聴ユーザとの相互作用を監視するステップと、
前記視聴ユーザに対する表示のために、広告を選択する相互作用を利用するステップと
をさらに含むことを特徴とする請求項１に記載の方法。
【請求項７】
所定の文字列を探し出すために、前記一つ以上のニュース項目を検索するステップをさらに含むことを特徴とする請求項１に記載の方法。
【請求項８】
あるタイプの活動に関するニュース項目が表示されるのを防止するために、前記一つ以上のニュース項目にフィルタをかけるステップをさらに含むことを特徴とする請求項１に記載の方法。
【請求項９】
表示のために利用可能な複数のニュース項目の数を動的に制限するステップをさらに含むことを特徴とする請求項１に記載の方法。
【請求項１０】
前記表示のために利用可能な複数のニュース項目の数を動的に制限する前記ステップは、表示画面から一つのニュース項目を取り除くステップと、該表示画面に新しいニュース項目を追加するステップとを含むことを特徴とする請求項９に記載の方法。
【請求項１１】
前記表示画面から取り除かれるニュース項目は、相性情報に従って選択されることを特徴とする請求項１０に記載の方法。
【請求項１２】
ニュースフィードを表示するためのシステムであって、
ソーシャルネットワーク環境と、
前記ソーシャルネットワーク環境における複数の活動を監視するように構成されたモジュールと、
前記複数の活動をデータベースに記憶するための記憶媒体と、
１以上の前記活動に関する複数のニュース項目を生成するように構成されたモジュールと、ここで、１以上の前記ニュース項目は、一人以上の視聴ユーザに対して提示されるためのものであり、かつ、他のユーザによって行われた活動に関係しており、
別のユーザの前記複数の活動の少なくとも一つに関連したリンクを前記複数のニュース項目の少なくとも一つに結びつけるように構成されたリンクコンポーネントと、ここで、前記リンクは、或る視聴ユーザが当該別のユーザと同じ活動に参加できるようにするものであり、
一組の視聴ユーザに対して、前記複数のニュース項目へのアクセスを制限するように構成されたプライバシーコンポーネントと、
前記一組の視聴ユーザ中の少なくとも一人の視聴ユーザに対して前記複数のニュース項目中の２以上のニュース項目からなるニュースフィードを表示するように構成されたメディアジェネレータと
を備えることを特徴とするシステム。
【請求項１３】
前記ソーシャルネットワーク環境が細分化されたコミュニティであることを特徴とする請求項１２に記載のシステム。
【請求項１４】
少なくとも一つの前記リンクがドロップダウンメニューを含むことを特徴とする請求項１２に記載のシステム。
【請求項１５】
前記プライバシーコンポーネントは、前記ネットワーク環境のユーザへのアクセスを制限するように構成されることを特徴とする請求項１２に記載のシステム。
【請求項１６】
前記プライバシーコンポーネントは、前記ソーシャルネットワーク環境のユーザにより決定されたプライバシー設定に応じて前記アクセスを制限するように構成されることを特徴とする請求項１２に記載のシステム。
【請求項１７】
前記複数のニュース項目から所定のニュース項目を取り除き、前記複数のニュース項目に新しいニュース項目を追加するように構成される動的リストコンポーネントをさらに備えることを特徴とする請求項１２に記載のシステム。
【請求項１８】
ニュースフィードを表示するための方法を実行するためにプロセッサによって実行可能なコンピュータプログラムであって、前記プロセッサに、
ソーシャルネットワーク環境における複数の活動を監視する手順と、
前記複数の活動をデータベースに記憶する手順と、
１以上の前記活動に関する複数のニュース項目を生成する手順と、ここで、１以上の前記ニュース項目が、一人以上の視聴ユーザに対して提示されるためのものであり、かつ、他のユーザによって行われた活動に関係しており、
別のユーザの前記複数の活動の少なくとも一つに関連したリンクを前記複数のニュース項目の少なくとも一つに結びつける手順と、ここで、前記リンクは、或る視聴ユーザが当該別のユーザと同じ活動に参加できるようにするものであり、
一組の視聴ユーザに対して、前記複数のニュース項目へのアクセスを制限する手順と、
前記一組の視聴ユーザ中の少なくとも一人の視聴ユーザに対して前記複数のニュース項目中の２以上のニュース項目からなるニュースフィードを表示する手順と
を実行させるためのコンピュータプログラム。
【請求項１９】
前記プロセッサに、前記複数の活動の少なくとも一つに関連したアクティブリンクを前記複数のニュース項目の少なくとも一つに結びつける手順をさらに実行させることを特徴とする請求項１８に記載のコンピュータプログラム。
【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
基台と、前記基台上に配置された発光素子とを含む発光装置であって、
前記発光素子を覆う第１封止材層と、前記第１封止材層の側面を囲む第２封止材層とを含み、
前記第１封止材層は円柱形状をしており、前記第２封止材層は前記第１封止材層を含む円柱形状をしており、
前記第１封止材層の上面と前記第２封止材層の上面は同一面を形成しており、
前記第２封止材料層の側面は露出しており、
前記第１封止材層の屈折率と前記第２封止材層の屈折率とが異なることを特徴とする発光装置。
【請求項２】
前記発光素子の出射光の光軸が、前記円柱形状の第１封止材層の中心軸から外れた位置に配置され、かつ前記円柱形状の第２封止材層の中心軸から外れた位置に配置されている請求項１に記載の発光装置。
【請求項３】
基台と、前記基台上に配置された発光素子と、前記基台上に配置された開口凹部を有する反射層を含む発光装置であって、
前記発光素子は前記開口凹部の底に配置されており、
前記発光素子は第１封止材層で覆われており、前記第１封止材層は第２封止材層により側面を囲まれており、前記第２封止材層の側面と前記開口凹部の凹内壁面が接しており、
前記第１封止材層は円柱形状をしており、前記第２封止材層は前記第１封止材層を含む逆円錐台形状をしており、
前記第１封止材層の上面と前記第２封止材層の上面と前記反射層の上面は同一面を形成しており、
前記第１封止材層の屈折率と前記第２封止材層の屈折率とが異なることを特徴とする発光装置。
【請求項４】
前記発光素子の出射光の光軸が、前記円柱形状の第１封止材層の中心軸から外れた位置に配置され、かつ前記逆円錐台形状の第２封止材層の中心軸と一致する位置に配置されている請求項３に記載の発光装置。
【請求項５】
前記発光素子の出射光の光軸が、前記円柱形状の第１封止材層の中心軸と一致する位置に配置され、かつ前記逆円錐台形状の第２封止材層の中心軸から外れた位置に配置されている請求項３に記載の発光装置。
【請求項６】
基台と、前記基台上に配置された発光素子と、前記基台上に配置された開口凹部を有する反射層を含む発光装置であって、
前記発光素子は前記開口凹部の底に配置されており、
前記発光素子は第１封止材層で覆われており、前記第１封止材層は第２封止材層により側面を囲まれており、前記第２封止材層の側面と前記開口凹部の凹内壁面が接しており、
前記第１封止材層は楕円柱形状をしており、前記第２封止材層は前記第１封止材層を含む逆円錐台形状をしており、
前記第１封止材層の上面と前記第２封止材層の上面と前記反射層の上面は同一面を形成しており、
前記第１封止材層の屈折率と前記第２封止材層の屈折率とが異なることを特徴とする発光装置。
【請求項７】
前記第１封止材層、及び前記第２封止材層は、蛍光体を含まない請求項１乃至５のいずれか１項に記載の発光装置。
【請求項８】
前記第１封止材層の屈折率をｎ１、前記第２封止材層の屈折率をｎ２としたとき、屈折率比ｎ１／ｎ２が、０．９以下である請求項１乃至５のいずれか１項に記載の発光装置。
【請求項９】
前記第１封止材層の屈折率をｎ１、前記第２封止材層の屈折率をｎ２としたとき、屈折率比ｎ１／ｎ２が、１．１以上である請求項１乃至５のいずれか１項に記載の発光装置。
【請求項１０】
前記発光素子は、サブマウント基板と、前記サブマウント基板の一方の主面側に形成されたＬＥＤチップと、前記ＬＥＤチップの周りを覆う蛍光体層とを含む請求項１乃至９のいずれか１項に記載の発光装置。
【請求項１１】
前記第１封止材層、前記第２封止材層の少なくとも一つは金属アルコキシドから形成した金属酸化物である請求項１乃至９のいずれか１項に記載の発光装置。
【請求項１２】
前記第１封止材層、前記第２封止材層の少なくとも一つは電子ビーム照射、又はイオンビーム照射した樹脂又はガラス材である請求項１乃至９のいずれか１項に記載の発光装置。
【請求項１３】
前記第１封止材層、前記第２封止材層の少なくとも一つはＴｅＯ2−Ｂ2Ｏ3−ＺｎＯ系のガラス材である請求項１乃至９のいずれか１項に記載の発光装置。
【請求項１４】
前記第１封止材層、前記第２封止材層の少なくとも一つは金属酸化物からなるナノ粒子材を分散したコンポジット材である請求項１乃至９のいずれか１項に記載の発光装置。
【手続補正２】
【補正対象書類名】明細書
【補正対象項目名】０００７
【補正方法】変更
【補正の内容】
【０００７】
本発明の発光装置は、基台と、前記基台上に配置された発光素子とを含む発光装置であって、前記発光素子を覆う第１封止材層と、前記第１封止材層の側面を囲む第２封止材層とを含み、前記第１封止材層は円柱形状をしており、前記第２封止材層は前記第１封止材層を含む円柱形状をしており、前記第１封止材層の上面と前記第２封止材層の上面は同一面を形成しており、前記第２封止材料層の側面は露出しており、前記第１封止材層の屈折率と前記第２封止材層の屈折率とが異なることを特徴とする。